(57)【特許請求の範囲】
【請求項１】
帳票の画像データを入力する帳票データ入力部と、
前記画像データに識別子を付与する識別子付与部と、
前記画像データに基づいて前記帳票の種別を識別する帳票種別識別部と、
前記画像データから日付印情報を抽出する日付印情報抽出部と、
前記識別子と前記日付印情報とを対応付けて記憶する第１の記憶部と、
前記帳票種別識別部で種別が識別できなかった帳票について入力された帳票の種別と当該帳票に付与された識別子とを対応付けて記憶する第２の記憶部と、
前記帳票種別識別部で種別が識別できなかった帳票について、再度入力された画像データから日付印情報を抽出し、この抽出した日付印情報に基づいて前記第１の記憶部と前記第２の記憶部を参照して当該帳票の種別を識別する帳票再識別部と、
を備える帳票処理システム。
【請求項２】
前記日付印情報は、前記日付印の中心座標と角度と日付である請求項１に記載の帳票処理システム。
【請求項３】
帳票の画像データを入力するステップと、
前帳票の識別子を付与するステップと、
前記画像データに基づいて前記帳票の種別を識別するステップと、
前記画像データから日付印情報を抽出するステップと、
前記識別子と前記日付印情報とを対応付けて第１の記憶部に記憶するステップと、
前記帳票種別識別部で種別が識別できなかった帳票について入力された帳票の種別と当該帳票に付与された識別子とを対応付けて第２の記憶部に記憶するステップと、
前記帳票種別識別部で種別が識別できなかった帳票について、再度入力された画像データから日付印情報を抽出し、この抽出した日付印情報に基づいて前記第１の記憶部と前記第２の記憶部を参照して当該帳票の種別を識別するステップと、
を備える帳票処理方法。 
【発明の詳細な説明】
【技術分野】
【０００１】
本発明の実施形態は、帳票処理システム、及び帳票処理方法に関する。
【背景技術】
【０００２】
従来、金融機関では、各支店において取り扱われた振込依頼書による電気料金、水道料金、電話料金等の公共料金や税金などの管理、仕分けのために、計算センターで本店や各支店の振込依頼書の収納済通知書を集め、帳票処理システムによって各帳票の記載事項を読み取り、払込先ごとに帳票をソートし、振込金額を合計するなどの処理を行っている。
【０００３】
この帳票処理システムでは、最初（１パス目）の読み取りで帳票の種類が識別できなかった（識別リジェクトした）ためにポケットに分類できなかった帳票を、オペレータが帳票イメージや帳票を確認して種類を設定し、そのリジェクトした帳票束をもう一度読み取り（２パス目）、オペレータが設定した帳票の種類に従ってポケットに分類する、ということが一般的に行われている。
【０００４】
ここで、２パス目のスキャンを行われた各帳票と、オペレータが設定した帳票の種類とを紐付ける方法として、１パス目に識別子として通し番号を文字やバーコードなどで印刷し、この識別子とオペレータの設定を関連付けておくことで、２パス目に識別子を光学式文字読取装置（ＯＣＲ：Ｏｐｔｉｃａｌ  Ｃｈａｒａｃｔｅｒ  Ｒｅａｄｅｒ）やバーコードリーダ等で読み取って、オペレータの設定を取り出し、帳票の識別や仕分けを自動的に行う方法がある。
【０００５】
また、識別子を印刷する際に紫外線等の特殊な光源で読み取ることができる透明インクで印字する方法がある。
【先行技術文献】
【特許文献】
【０００６】
【特許文献１】特開２００４−１４５３８３号公報
【発明の概要】
【発明が解決しようとする課題】
【０００７】
本発明が解決しようとする課題は、識別子を帳票に印刷すること無く、一度識別不可能と判定された帳票の種類の識別を可能にする帳票処理システム、及び帳票処理方法を提供することを目的とする。
【課題を解決するための手段】
【０００８】
本実施形態の帳票処理システムは、帳票の画像データを入力する帳票データ入力部と、画像データに識別子を付与する識別子付与部と、画像データに基づいて帳票の種別を識別する帳票種別識別部と、画像データから日付印情報を抽出する日付印情報抽出部と、識別子と日付印情報とを対応付けて記憶する第１の記憶部と、帳票種別識別部で種別が識別できなかった帳票について入力された帳票の種別と当該帳票に付与された識別子とを対応付けて記憶する第２の記憶部と、帳票種別識別部で種別が識別できなかった帳票について、再度入力された画像データから日付印情報を抽出し、この抽出した日付印情報に基づいて第１の記憶部と第２の記憶部を参照して当該帳票の種別を識別する帳票再識別部と、を備える。
【図面の簡単な説明】
【０００９】
【図１】実施形態の帳票処理システムのハードウェア構成を示すブロック図
【図２】実施形態の帳票処理システムの機能構成を示すブロック図。
【図３】実施形態の帳票処理システムの帳票認識処理の動作の一例を示すフローチャート。
【図４】実施形態の帳票処理システムに入力される帳票の一例を示す図。
【図５】実施形態の帳票処理システムの日付印情報のイメージ図。
【図６】実施形態に係る日付印情報テーブルのデータ構造の一例を示す図。
【図７】実施形態に係る設定情報テーブルのデータ構造の一例を示す図。
【図８】実施形態の帳票処理システムの帳票認識処理の動作の一例を示すフローチャート。
【発明を実施するための形態】
【００１０】
以下、実施形態の帳票処理システムについて図１乃至図８を参照して説明する。
【００１１】
図１は本実施形態の帳票処理システム１のハードウェア構成の一例を示す図である。
【００１２】
帳票処理システム１は、金融機関の営業店それぞれから集められてきた多数の帳票を装填されたホッパ１００から、帳票１枚１枚を取り込んで記載事項を読み取って画像データを作成するスキャナ２００と、スキャナ２００が読み取った帳票の種類の判定と帳票の文字認識とを行うサーバＰＣ３００と、文字認識処理が完了した帳票１枚１枚をサーバＰＣ３００が判定した種類毎に、ソートポケット４００ａ，４００ｂ，４００ｃ，４００ｄ…にソートするソータ４００とを備えている。
【００１３】
図２は本実施形態の帳票処理システム１の機能構成の一例を示す図である。帳票処理システム１は、スキャナ１００である帳票データ入力部２、サーバＰＣ３００である帳票処理サーバ３、設定端末４から構成され、入力された帳票を識別して種類毎にポケット１５に排出する帳票識別処理を行う。帳票処理システム１が識別できなかった帳票はオペレータによって種類を設定され、再度帳票処理システム１に入力される。本実施形態における帳票処理システム１は、再入力された帳票を設定された種類に基づいて、帳票の種類毎にポケット１５に排出する帳票再識別処理を行う。
【００１４】
帳票データ入力部２は、例えばスキャナであり、帳票を走査することによってその帳票の画像データ（以下、帳票データという）を取得し、帳票処理サーバ３に送信する。
【００１５】
帳票処理サーバ３は、管理番号付与部５、帳票識別部６、文字認識部９、情報記憶部１０、帳票仕分け部１９から構成される。なお、これらは図１に示したサーバＰＣ３００の処理によって実現される。
【００１６】
管理番号付与部５は、帳票データ入力部２から入力された帳票データごとに管理番号を発番する。管理番号は例えば帳票が入力された順番などであり、帳票データの識別子である。
【００１７】
帳票識別部６は、日付印情報抽出部７と管理番号検索部８とを備え、帳票データ入力部２から入力された帳票データの種類を識別する。帳票識別部６は、例えば帳票の種類ごとに固有のＩＤやバーコードを読み取って識別する。もしくは、帳票の罫線の位置や、プレ印字や、タイトルの文字列の位置などの帳票のフォーマットを読み取って、あらかじめ情報記憶部１０の帳票識別情報ＤＢ１１に登録された帳票の種類ごとのフォーマットを参照して識別する。また、帳票識別部６は、帳票の種類を識別できなかった場合に、帳票から再識別情報を抽出する。再識別情報は識別できなかった帳票を再度識別する再識別処理の際に参照する情報である。再識別情報抽出処理及び帳票再識別処理については後述する。
【００１８】
日付印情報抽出部７は、帳票データから日付印に関する情報である日付印情報を抽出する。管理番号検索部８は、日付印情報抽出部７が抽出した日付印情報に基づいて、帳票データの識別子である管理番号を特定する。文字認識部９は帳票の文字認識を行う。
【００１９】
帳票仕分け部１９は、帳票識別部６からの指示に基づいて、識別された帳票を指定ポケット１５に入るようソータ４００を制御する機能を有する。帳票識別部６が種類を識別できた帳票は、帳票仕分け部１９によって種類に応じて指定ポケット１５に排出される。帳票識別部６が種類を識別できない帳票は、ソータ４００がリジェクトポケット（図示しない）に排出する。
【００２０】
情報記憶部１０は、帳票識別情報データベース（ＤＢ）１１と帳票再識別情報ＤＢ１２とを有し、帳票処理サーバ３に入力された帳票データを識別するための情報を記憶する。  
帳票識別情報ＤＢ１１は、帳票の種類を識別するための帳票識別情報をあらかじめ登録している。帳票再識別情報ＤＢ１２は識別できなかった帳票を再度識別する際に参照する再識別情報を格納する。
【００２１】
設定端末４は、例えばパーソナルコンピュータである。オペレータは、帳票識別部６が識別できなかった帳票の種類を判定し、設定端末４を用いて、判定した種類を入力する。
【００２２】
ここで、図３を参照して、金融機関で振込依頼書による国民健康保険の払い込みを処理し、自治体毎に仕分けする場合の帳票処理システム１の帳票識別処理について説明する。図３は本実施形態に係る帳票識別処理の一例を示すフローチャートである。
【００２３】
まず、帳票データ入力部２が、対象の帳票をスキャンして帳票データを取得し、帳票処理サーバ３に入力する（ステップＳ１０）。入力される帳票の一例を図４に示す。本実施形態は示すような国民健康保険料の納付書を入力したとする。帳票にはあらかじめ日付印１６が押印されている。
【００２４】
帳票処理サーバ３に帳票データが入力されると、管理番号付与部５は帳票を識別するための識別子である管理番号を発番する（ステップＳ１１）。
【００２５】
続いて帳票識別部６が、帳票識別情報ＤＢ１１の帳票識別情報に基づいて入力された帳票の種類を識別する（ステップＳ１２）。本実施形態では、入力された帳票から取得した帳票のフォーマットを、帳票識別情報ＤＢ１１に登録された帳票の種類ごとのフォーマットと照合して入力された帳票の種類を識別する。
【００２６】
帳票識別部６が入力された帳票を識別できた場合（ステップＳ１３がＹｅｓ）、文字認識部９は帳票データの文字認識を行う（ステップＳ１４）。帳票仕分け部１９は、識別された種類に基づいて対象の帳票をソータ４００の指定ポケット１５に排出させ（ステップＳ１５）、帳票識別処理を終了する。
【００２７】
帳票識別部６は入力された帳票を識別できなかった場合（ステップＳ１３がＮｏ）、帳票データから帳票の再識別情報を抽出する。具体的には、まず帳票識別部６の日付印抽出部７が帳票データの日付印１６から日付印情報を抽出する（ステップＳ１６）。
【００２８】
図５に、帳票の日付印情報のイメージ図を示す。本実施形態では、図５に示すように、日付印情報として、領収日付印の枠の左上角を基準とした日付印の中心座標（ｘ、ｙ）、日付印の角度（θ）、及び日付を抽出する。例えば図４及び図５に示す日付印１６の日付印情報は、中心座標（４０ｍｍ、４５ｍｍ）、日付印の角度１５度、日付は「２０．１２．１２」である。
【００２９】
なお、日付印の中心座標と角度は、例えばイメージからの円検出や平行線検出を用いて抽出することが可能である。また日付は、角度を補正した後に一般的な文字認識方法を用いて抽出することが可能である。なお、日付印情報は上述した情報以外にも、例えば図４及び図５に示すような銀行名を文字認識した結果を含んでも良い。もしくは図４及び図５には図示していないが、日付印に含まれる支店名や担当者名を文字認識して、その結果を日付印情報としても良い。
【００３０】
日付印情報抽出部７は日付印情報を抽出すると、抽出結果の日付印情報を対象の帳票データの管理番号とともに帳票再識別情報ＤＢ１２の日付印情報テーブル１３に登録する（ステップＳ１７）。図６に日付印情報テーブル１３のデータ構造１７の一例を示す。図６に示すように、日付印情報テーブル１３には、管理番号１７ａ、日付印の中心のｘ座標１７ｂ、日付印の中心のｙ座標１７ｃ、角度（θ）１７ｄ、日付１７ｅが格納される。
【００３１】
帳票仕分け部１９は、日付印情報の抽出が行われた帳票を、ソータ４００によって帳票の種類毎にリジェクトポケットに排出させ（ステップＳ１８）、帳票識別処理を終了する。
【００３２】
ここで、帳票識別部６が帳票の種類を識別できず、ソータ４００のリジェクトポケットに排出された帳票は、オペレータによって一枚ずつ確認され、帳票の種類を設定される。具体的には、設定端末４にリジェクトされた帳票の帳票データと管理番号が表示される。オペレータは表示された帳票データを確認して帳票の種類を特定する。オペレータは、特定した帳票の種類を設定端末４を用いて帳票処理サーバ３に入力する。帳票処理サーバ３は、入力された管理番号と帳票の種類を設定情報として帳票再識別情報ＤＢ１２の設定情報テーブル１４に登録する。図７に設定情報テーブル１４のデータ構造１８の一例を示す。図７に示すように、設定情報テーブル１４には、管理番号１８ａ、帳票の種類１８ｂが格納される。この設定情報と上述した日付印情報とを再識別情報とする。
【００３３】
オペレータが帳票の種類を設定した帳票は、帳票再識別処理を行う。図８を参照して帳票再識別処理について説明する。
【００３４】
図８は本実施形態に係る帳票再識別処理の一例を示すフローチャートである。
【００３５】
まず、帳票データ入力部２が、対象の帳票をスキャンして帳票データを取得し、帳票処理サーバ３に入力する（ステップＳ２０）。続いて、日付印情報抽出部７が、入力された帳票データから日付印情報を抽出する（ステップＳ２１）。
【００３６】
抽出結果の日付印情報に基づいて、管理番号検索部８は帳票再識別情報ＤＢ１２の日付印情報テーブル１３を検索し、中心座標、角度及び日付が一致もしくは類似する日付印情報の管理番号を抽出する（ステップＳ２２）。日付印情報が類似するかどうかの判定は、例えば中心座標と角度が近く、日付が同じかどうかで行う。なお類似する日付印情報が複数ある場合は、最も中心座標と角度が近い日付印情報の管理番号を抽出する。
【００３７】
検索の結果、管理番号が抽出できた場合(ステップＳ２３がＹｅｓ)、帳票識別部６は、この管理番号に基づいて設定情報テーブル１４を検索し、管理番号が一致する設定情報に含まれる帳票の種類を対象の帳票データの種類であるとし、帳票を識別する（ステップＳ２４）。
【００３８】
文字認識部９は識別された帳票の文字認識を行う（ステップＳ２５）。帳票仕分け部１９は、識別された種類に基づいてソータ４００によって種類毎に指定ポケット１５に排出させ（ステップＳ２６）、帳票再識別処理を終了する。
【００３９】
管理番号が特定できなかった場合（ステップＳ２３がＮｏ）、帳票仕分け部１９は、ソータ４００に対象の帳票を、リジェクトポケットに排出させる（ステップＳ２７）。そして帳票再識別処理を終了する。この場合、リジェクトポケットに排出された帳票は、オペレータによって、設定端末４から帳票の記載内容が入力され、帳票の種類毎にソータ４００の指定ポケット１５に人手で仕分けられる。または、これらの帳票は文字認識装置によって文字認識を行われた後、オペレータが帳票の種類毎にソータ４００の指定ポケット１５に人手で仕分けてもよい。
【００４０】
上述したように、本実施形態の帳票処理システム１は、識別子を帳票に印刷すること無く、一度識別不可能と判定された帳票とオペレータが入力した帳票の種類とを対応付けることを可能にする。
【００４１】
したがって、帳票処理システム１は、識別子を印刷する際に、印刷する文字やバーコードが帳票の紙面を汚したり、印刷する文字やバーコードが帳票の印刷と重なってしまい、帳票が読み取れないなどの問題がない。
【００４２】
また、帳票処理システム１は、紫外線等の特殊な光源で読み取ることができる透明インクで印字した識別子が、帳票の用紙に含まれる蛍光増白剤等が紫外線により発光してしまい用紙と透明インクのコントラストが低下してしまうため認識できないという問題も解決できる。
【００４３】
したがって、帳票処理システム１は、帳票識別処理を効率化することができる。また、帳票識別処理の識別精度を向上できる。
【００４４】
以上、本発明の実施形態を説明したが、この実施形態は例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。  
例えば、上述の実施形態では、日付印情報として、中心座標、角度、日付を用いたが、この限りではない。例えば、日付印の色を用いてもよい。また、上述の実施形態では、中心座標の原点を領収日付印の枠の左上角としたが、帳票の左上角などでもよい。
【符号の説明】
【００４５】
１…帳票処理システム、２…帳票データ入力部、３…帳票処理サーバ、４…設定端末、５…管理番号付与部、６…帳票識別部、７…日付印情報抽出部、８…管理番号検索部、９…文字認識部、１０…情報記憶部、１９…帳票仕分け部
【図１】
0005306406.tif 000002
【図２】
0005306406.tif 000003
【図３】
0005306406.tif 000004
【図４】
0005306406.tif 000005
【図５】
0005306406.tif 000006
【図６】
0005306406.tif 000007
【図７】
0005306406.tif 000008
【図８】
0005306406.tif 000009